(57)【要約】【課題】安価かつ簡易な構造でハーネスに重畳するコモンモードノイズの放射を抑制する電子機器を提供する。【解決手段】プリンター１０は、ヘッド４０に実装される基板とプリンター１０のメインボード２０をフラットケーブル３０により遊架接続され、プリンター１０のグランド電位に設定された筺体１５に対し、フラットケーブル３０は筺体１５に切欠き部６０を設けて筺体１５と接触しない状態で遊架されている。【選択図】図２
2013131673.tif 000002
【特許請求の範囲】
【請求項１】
可動部に実装される基板と電子機器の主たる基板をハーネスにより遊架接続され、前記電子機器のグランド電位に設定された筺体に対し、前記ハーネスは前記筺体に切欠き部を設けて前記筺体と接触しない状態で遊架させたことを特徴とする電子機器。
【請求項２】
請求項１に記載の電子機器において、
前記筺体の前記切欠き部には樹脂材料からなる固定部材が前記切欠き部を穴塞の形態で装着され、前記固定部材により前記ハーネスの一部が固定され、前記ハーネス全体として遊架されていることを特徴とする電子機器。
【請求項３】
請求項１乃至２のいずれかに記載の電子機器において、
前記固定部材により一部が固定された前記ハーネスは、前記固定された箇所の取り出し部より前記固定部材表面で前記筺体の面に対して略水平となる角度で前記ハーネスが引き出される構成であることを特徴とする電子機器。
【請求項４】
請求項１乃至３のいずれか１項に記載の電子機器を備えていることを特徴とするプリンター。
【請求項５】
導電性を有する筺体と、
往復移動する移動体と、
一方が前記筺体の側で固定されると共に、他方が前記移動体に接続され、前記移動体の往復移動に伴って様体が変化するハーネスと、を備え、
前記筺体は、様体が変化する前記ハーネスとの接触を回避するための切欠き部を備えることを特徴とする電子機器。
【発明の詳細な説明】
【技術分野】
【０００１】
本発明は、電子機器およびプリンターに関する。
【背景技術】
【０００２】
プリンターにおける印字ヘッド及びスキャナーにおける画像読み取りヘッドは、それぞれのヘッドが移動しながら印字及び画像読み込みを行う。こういった電子機器には、それぞれのヘッドを動作・制御する回路が基板（ドーターボード）上に実装され、該ドーターボードにはそれぞれの電子機器のメイン基板（メインボード）とハーネス等で接続され、該ハーネス（リボンケーブル、フレキシブルフラットケーブル＜ＦＦＣ＞といった配線部材）のフレキシビリティーにより前記ヘッドの可動領域が確保されると共にボード間の電気的接続を可能にしている。
しかしながら、こういったハーネスの使用にはコモンモードノイズ放射の増大という課題がある。ここでコモンモードノイズについて説明する。一般的に、電力又は電気信号は、一対の導電ラインにより伝送線路を形成して伝送され、電子機器ではその一対の導電ラインの一方を筺体のグランド（ＧＮＤ）と同レベルの電位に設定している。この時、一対の伝送路の導電ライン間ではそれぞれ相反する方向に（反平行に）電流が流れるため、それぞれの導電ラインにより形成される磁界で相殺されることから、伝送線路の外界への磁界は形成されない。従って、外界に放射ノイズの影響を与えることはない。（この伝送形式はノーマルモードと呼ばれる。）
【０００３】
一方、一対の導電ラインに対して同一方向（同位相）で流れる電流が存在し、この電流は空間の浮遊容量等によりノイズ源に戻ると解釈されている。（この伝送形式はコモンモードと呼ばれる。）。このようなコモンモードにおけるノイズ（コモンモードノイズ）は、空間等の容量を介してノイズ源に戻るレベルであれば、その電流量は極めて小さいため一般的なＥＭＣ（Ｅｌｅｃｔｒｏ  Ｍａｇｎｅｔｉｃ  Ｃｏｍｐａｔｉｂｉｌｉｔｙ）の問題とはならない。ところが、共振等により空間との結合が起きた場合、空間にノイズのエネルギーが流出していくため、ノイズ電流は増大する。この結果、規制されたノイズ放射レベル以下に抑制できないことでＥＭＣの問題が生じる。
例えば、メインボードとドーターボード間を配線部材で接続した場合、各ボードにおけるコネクター部の配線パターンや、使用されている配線部材の伝送インピーダンスと信号のインピーダンスの不整合などにより、信号ラインとＧＮＤラインとでコモンモードが形成される。また、配線部材では、信号ラインとＧＮＤラインに加えて、電源ラインにコモンモードノイズがＧＮＤ−電源間のバイパスコンデンサーを介して流れ込み、信号ライン、電源ラインおよびＧＮＤラインを含め配線部材を構成する多くのラインに同位相のノイズが重畳される場合がある。
【０００４】
更に、配線部材の長さが重畳したノイズの実効波長に対して、１／４波長、または１／２波長に近づいた場合、配線部材の長さ方向でノイズ（高周波）電流の共振が起こり、空間と結合してノイズが外界に放出される。この時、ノイズ源からは次々と放射する高周波電流が配線部材の各ラインに同位相で供給されてくるため、機器のノイズ規制の規制値を超過したレベルのノイズを放射することになる。
このようなコモンモードノイズの対策では、電源ライン又は信号ラインとＧＮＤラインに同位相のノイズが重畳されているため、回路部品である抵抗、コイルおよびコンデンサーの挿入といった対策で効果を得るのは難しく、下記特許文献１及び特許文献２に示すように、配線部材を筺体グランドに押し付けたり、下記特許文献３に示すように、配線部材にコモンモードチョークやフェライトコアを挿入し、コモンモードノイズの伝送を阻止したり、空間への放射を抑制させたりした。
【先行技術文献】
【特許文献】
【０００５】
【特許文献１】特開２００７−３１１７０９号公報
【特許文献２】特開２００７−３０７７２４号公報
【特許文献３】特開２００６−１９１００６号公報
【発明の概要】
【発明が解決しようとする課題】
【０００６】
しかしながら、これらの構造は、配線部材の近傍に筺体グランドが存在することが前提であり、製品設計の自由度という面で大きな制約となる。また、ヘッドを可動状態にする必要があることから、ヘッドを動作・制御するドーターボードも可動状態となる。そのため、ドーターボードの回路を構成するグランド電極もノイズの放射を回避するために電子機器の筺体（金属板等：フレームグランドとなる）に接地することが好ましいが、可動状態にするために、高周波帯における安定的な固定された接地をとることは困難となる。
更に、可動部の搭載されたドーターボードに対するハーネスによる接続は、特許文献１のように可動部の無い電子機器の場合と異なり、電子機器の筺体にハーネスを押し付けた形に固定することができず、基本的に中空に浮かせた状態であった。従って、ハーネスの一部を固定して遊架した状態とし、且つ、放射ノイズを低減させるために、特許文献１の考え方に則って前記した固定の仕方は、電子機器の筺体にハーネスを直接固定する方法がとられていた。
【０００７】
しかしながら、この状態ではヘッドの移動に伴い、ハーネスの筺体とはそれらの接触する面積に変動を生じ、ヘッドの位置により放射ノイズが変動するという現象が起き、ヘッドの位置により放射ノイズのレベルが増大してＥＭＣの問題を起こしていた。
一方、フェライトコアなどの対策は、効果を十分に得るためにフェライトコアの体積を大きくする必要があり、また製品筺体内ではフェライトコアを固定するための部材を用意して装着する必要がある。更に、フェライトコアにハーネスを巻きつける等の手作業も必要となるため、組み立て時に多くの手間とコストを要した。
そこで本発明は、前記課題に鑑みてなされたものであり、安価かつ簡易な構造でハーネスに重畳するコモンモードノイズの放射を抑制することを目的とする。
【課題を解決するための手段】
【０００８】
本発明は、上述の課題の少なくとも一部を解決するためになされたものであり、以下の形態又は適用例として実現することが可能である。
【０００９】
［適用例１］
本適用例にかかる電子機器は、可動部に実装される基板と電子機器の主たる基板をハーネスにより遊架接続され、前記電子機器のグランド電位に設定された筺体に対し、前記ハーネスは前記筺体に切欠き部を設けて前記筺体と接触しない状態で遊架させたことを特徴とする。
【００１０】
このような構成によれば、ハーネスと電子機器の筺体との接触及び接近を生じさせることがなくなり、コモンモードのノイズ電流が低下し、放射ノイズを低減することができると共に、可動部の回路基板に接続したハーネスにおいては、可動部の移動に伴うハーネスの姿勢や形状が変動しても、可動部の移動に伴う放射ノイズの変動を低減することができる。
【００１１】
［適用例２］
上記適用例にかかる電子機器において、前記筺体の前記切欠き部には樹脂材料からなる固定部材が前記切欠き部を穴塞の形態で装着され、前記固定部材により前記ハーネスの一部が固定され、前記ハーネス全体として遊架されていることを特徴とする。
【００１２】
このような構成によれば、コモンモードノイズの高周波電流に対してハーネスと筺体の距離を大きく取れ、ハーネスにおける高周波帯の伝送インピーダンスを高くできるので、コモンモードノイズの高周波電流を低減することができ、これにより放射ノイズを低減することができる。更に、筺体に形成した欠き部による筺体自体の物理的強度の低下を防止することができる。
【００１３】
［適用例３］
上記適用例にかかる電子機器において、前記固定部材により一部が固定された前記ハーネスは、前記固定された箇所の取り出し部より前記固定部材表面で前記筺体の面に対して略水平となる角度で前記ハーネスが引き出される構成であることを特徴とする。
【００１４】
このような構成によれば、ハーネス自身が持つ弾力性を利用してハーネスと筺体との距離を大きくすることができる。
【００１５】
［適用例４］
本適用例にかかるプリンターは、上記に記載の電子機器を備えていることを特徴とする。
【００１６】
上述の電子機器をプリンターに適用することで、プリンターの印字部となるプリンターヘッドの往復移動におけるノイズ対策において効果的な対策ができる。
【００１７】
［適用例５］
本適用例にかかる電子機器は、導電性を有する筺体と、往復移動する移動体と、一方が前記筺体の側で固定されると共に、他方が前記移動体に接続され、前記移動体の往復移動に伴って様体が変化するハーネスと、を備え、前記筺体は、様体が変化する前記ハーネスとの接触を回避するための切欠き部を備えることを特徴とする。
【００１８】
このような構成によれば、ハーネスと電子機器の筺体に接近して接触することがなくなるため、コモンモードのノイズ電流が低下し、放射ノイズを低減することができると共に、移動体に接続したハーネスにおいては、移動体の往復移動に伴うハーネスの様体が変化しても、移動体の移動に伴う放射ノイズの変動を低減することができる。
【図面の簡単な説明】
【００１９】
【図１】本発明の実施形態に係る電子機器としてのプリンターの外観を示す図。
【図２】（Ａ）は移動体が一方の側に移動した状態を示し、（Ｂ）は移動体が他方の側に移動した状態を示す図。
【図３】（Ａ）はシミュレーションモデルを説明する斜視図を示し、（Ｂ）はシミュレーションモデルを説明する平面図を示す。
【図４】シミュレーションモデルのシミュレーション空間を示す図。
【図５】シミュレーションモデルにおける高周波電流の変化を示す図。
【図６】シミュレーションモデルにおける放射電磁界郷土の変化を示す図。
【発明を実施するための形態】
【００２０】
以下、本発明の実施形態について図面を参照して説明する。
【００２１】
（実施形態）
図１は、電子機器の１つであるプリンター１０の外観を示した図である。本実施形態では、プリンター１０はインク滴を吐出することにより、画像を用紙１２に転写するインクジェット方式を想定するが、この方式には限定されない。
プリンター１０は、製品外装部１３の内部に金属製の筺体１５を有する。この筺体１５は、導電性を有する１枚の金属を片仮名の「コ」の字形状に折り返した様体であり、筺体１５の一方の側（「コ」の字の外側）には、プリンター１０を制御する電子回路を実装したメインボード２０が取り付けられている。また、筺体１５の他方の側（「コ」の字の内側）には、直線軸に案内されて往復移動しつつ、インク滴を用紙１２へ吐出する移動体であるヘッド４０が筺体１５に保護されるような様体で取り付けられている。また、プリンター１０を正面から見て、筺体１５の略中心部から左方に向かって、長方形状に開口した切欠き部６０が形成されている。
【００２２】
メインボード２０とヘッド４０は、ハーネスの１つであるフラットケーブル３０で電気的に接続されている。このフラットケーブル３０は、複数の細いケーブルが平面状に束ねられて帯状に形成されており、平面方向の曲げに対してフレキシビリティーを有する。従って、フラットケーブル３０は、ヘッド４０の往復移動に伴って様体が変化しつつも、メインボード２０とヘッド４０の電気的な接続を維持する。
更に、筺体１５には、いずれも図示を略すが、用紙１２を移送するモーターや、ヘッド４０を往復移動させるモーター等も取り付けられており、筺体１５は安定して印刷するための構造材として機能すると共に、電気的には電源及び信号のグランド電位として（フレームグランド或いは筺体グランドと呼ばれる）プリンター１０の電気特性における特にノイズ及びＥＳＤ（静電気対策）に関する安定化を図っている。
【００２３】
筺体１５による筺体グランドは、信号を処理するためのＩＣ等が実装されたメインボード２０内のグランド電位の電極と直流的に接続された同電位の状態である。しかしながら、高周波帯においては電位分布を持つことにより、筺体グランドとメインボード２０のグランド電極２１（図３）の間に高周波電位差を持つようになり、これがコモンモードノイズを生じる原因となる。殊に、前述したコモンモードノイズがフラットケーブル３０の電源ライン、或いは信号ラインとそれらのグランドラインとにコモンモードノイズが重畳すると、フラットケーブル３０がアンテナとなって、コモンモードノイズを空間に放射することになり、不要輻射関するＥＭＣの問題を生じる。
ヘッド４０は、メインボード２０とフラットケーブル３０により電気的に接続され、メインボード２０から電力及び制御信号が供給されている。従って、ヘッド４０が用紙１２の横方向に往復移動してフラットケーブル３０と筺体１５との位置関係（接触状態または距離）が変化することにより、ノイズの放射形態及び放射量のレベルが変動するという特徴がある。
【００２４】
ここで、図２（Ａ）および（Ｂ）は、プリンター１０を上方から見た概略平面図である。図２（Ａ）および（Ｂ）に示すように、筺体１５のヘッド４０側の略中央部には、樹脂材料等からなる固定部（固定部材）５０が設けられている。
固定部５０は、フラットケーブル３０の貫通状態を支持する支持部、および、フラットケーブル３０が固定部５０側へ当接状態となるために支持する支持部として機能し、メインボード２０からヘッド４０に至るフラットケーブル３０を挟持している。この結果、フラットケーブル３０の一方は、筺体１５の側で固定され、ヘッド４０が図２（Ａ）の位置と図２（Ｂ）の位置を往復移動する場合、ヘッド４０の移動に伴ってフラットケーブル３０の様体が変化する。この際、筺体１５に長方形状の切欠き部６０が設けられているため、フラットケーブル３０が筺体１５に接触または接近することを回避できる。
本実施形態では、フラットケーブル３０が筺体１５に接触または接近することを確実に回避すべく、固定部５０は当接部（スペーサー）５３を有している。この当接部５３は筺体１５の切欠き部６０に嵌合され、切欠きにより生じる開口を塞ぐ様体となっている。
【００２５】
この結果、図２（Ａ）では、フラットケーブル３０は、固定部５０から当接部５３に沿って遊架され、フラットケーブル３０と筺体１５との接触や、所定距離以下の接近が回避される。また、図２（Ｂ）では、フラットケーブル３０は、固定部５０を起点として自身の弾力性により筺体１５のある側とは反対側へ反った姿勢となるため、筺体１５との距離が離れた状態となる。
このように、フラットケーブル３０は支持部５２から当接部５３沿って、即ち筺体１５の面方向に対して略水平に引き出されていることにより、ヘッド４０が図２（Ａ）の状態から図２（Ｂ）の状態に遷移する場合、フラットケーブル３０は自身の弾力性によって、筺体１５のある側とは反対側へ反った姿勢を維持することができる。
【００２６】
更に、筺体１５の切欠き部６０に設けられた固定部５０は、筺体１５に強固に勘合されていることが好ましく、切欠き部６０の形成により機械強度が低下する筺体１５を補強する機能もある。特に筺体１５は、通常、ヘッド４０の横方向の移動のための軌道を設ける設計を取っており、材料としても１ｍｍ程度の鋼板を使用し、軌道の形状の安定化を図っているが、切欠き部６０の形成により筺体１５の上下方向での弓なり変形が生じる場合があるため、これを防止する目的で固定部５０が設けられることが好ましい。
また、固定部５０の装着により筺体１５における、プリンター１０の駆動系のモーターの振動に対しても安定化させることができる。尚、樹脂材料は特に限定はないがポリエチレン樹脂等であって、切欠き部６０を塞ぐ方向の厚さは、筺体１５の厚さ以上であり、３〜５ｍｍ程度の厚さに設定されることが好ましい。
【００２７】
以上の構成により、フラットケーブル３０は安定的グランド電位となる筺体１５に所定の距離以下に近づくことは無くなるため、フラットケーブル３０に流れ込むコモンモードノイズの高周波電流が低減し、フラットケーブル３０からの放射ノイズのレベルが低減する。
【００２８】
尚、筺体１５の切欠き部６０の大きさ及び形状は、フラットケーブル３０の長手方向側部が接触しない程度の大きさ及び形状であれば限定されない。従って、筺体１５とフラットケーブル３０の長手方向側部が接触することなく距離が十分とれる場合は本発明の切欠き部６０を設定する必要はない。
更に、樹脂材料からなる固定部５０が穴塞挿入される際は、切欠き部６０の形状は固定部５０がない時に比べ小さく設定でき、筺体１５の機械的強度を保持する上で好ましい。その際には固定部５０の穴塞方向の厚みは、３〜５ｍｍ程度が好ましい。
【００２９】
次に、フラットケーブル３０と筺体１５との接触あるいは接近を回避することで、コモンモードノイズの高周波電流がフラットケーブル３０に流れ込む現象を回避できることについて説明する。
先ず、ヘッド４０が可動部となるため、ヘッド４０に実装される回路基板の接地はヘッド４０から筺体１５へ直接行なうことができず、フラットケーブル３０のグランドラインを経由してメインボード２０のグランド電極２１（図３）を介して筺体１５のグランド電位をとることになる。従って、ヘッド４０は、メインボード２０から見ると先端が開放状態の導電ライン３１（図３）のようになっており、これが状況によってはホイップアンテナのように振舞って放射ノイズを放射すると共に、ヘッド４０が移動しているときは、該ホイップアンテナが水平方向に波打ち運動している状況になる。
しかしながら、先端が開放された導電ライン３１では、先端部のインピーダンスが極めて高くなるため、その長さがコモンモードノイズの実効波長の１／４程度となる場合を除くと、該導電ラインへの高周波電流の流れ込みが阻止され、即ち放射ノイズのレベルは大きくならない。
【００３０】
従って、フラットケーブル３０は先端開放のインピーダンスが維持される姿勢で保持されることが好ましい。しかしながら、一般的に推奨されている筺体グランドとなる筺体１５にフラットケーブル３０の一部を接触固定した遊架実装する構成にする場合、筺体１５がグランド電位であるために、上述の先端が開放された導電ライン３１にとって、高周波帯のインピーダンスを低くすることになり、高周波電流が流れやすい特性に変化させる。その結果、フラットケーブル３０へコモンモードノイズとなる高周波電流が流れ込みやすくなり、フラットケーブル３０からの放射ノイズが増大して、ＥＭＣの問題となるレベルとなる。この放射ノイズの増大は実機の測定においても確認されている。
その状況を電磁界シミュレーションにおいて検証したので説明する。図３はシミュレーションモデルを説明した図であって、（Ａ）は斜視図であり、（Ｂ）は上方から見た図である。
【００３１】
シミュレーションモデルとして採用したフラットケーブル３０は、コモンモードの高周波電流を流れることを前提に、断面０．５×０．５ｍｍの単線の導電ライン３１（全長３３ｍｍ）とした。メインボード２０は単体のグランド電極２１として１４０×６０×０．０５ｍｍの形状とし、筺体１５に直流的に接続させている。筺体１５はメインボード２０が搭載された側において３８０×６０×１ｍｍの形状とし、略中央に３０×１５ｍｍの切欠き部７０を形成する。導電ライン３１は切欠き部７０を通過し、一部に筺体１５に接近する区間５５（区間長さ：２５ｍｍ）を経て筺体１５を離れ、先端が開放された状態となっている。
ノイズ源となる信号源はメインボード２０となるグランド電極２１と導電ライン３１の間に挿入され、信号源の一方の極は導電ライン３１と接続し、信号源の他方の極はメインボードとなるグランド電極２１と接続している。潜在的にノイズ源が電子部品を搭載したメインボード２０内にあることは明らかであるが、その位置についてフラットケーブル３０とメインボード２０の接続部と仮定した。
【００３２】
図４は、シミュレーションモデル９０のシミュレーション空間８０を示した図であり、シミュレーション空間８０の６個の面の境界条件は全て電磁波吸収壁として計算を行なっている。
このシミュレーションの検討では、上述したフラットケーブル３０となる導電ライン３１がグランド電位となる筺体１５に接近する区間５５において、導電ライン３１と筺体１５の間の距離を変化させたときの導電ライン３１に流れ込む高周波電流の変化及びシミュレーションモデル９０からの放射電界強度の変化の状況を調べた。
図５は、区間５５付近における高周波電流（１５０ＭＨｚでの最大値）の変化の状況を導電ライン３１と筺体１５の距離を０．１ｍｍとしたときを基準として示した。この図５に示すように、区間５５における導電ライン３１と筺体１５との間の距離が大きくなるに従い、高周波電流は低下する状況が確認できる。このことは、即ち、フラットケーブル３０に流れるコモンモードノイズの高周波電流は、フラットケーブル３０を筺体１５から離すことで、コモンモードノイズの高周波電流が減少することを示している。
【００３３】
更に、図６は、その時のシミュレーションモデル９０からの放射電磁界強度（１５０ＭＨｚでの最大値）の変化を示す。図６では区間５５における導電ライン３１と筺体１５との間の距離が０．１ｍｍとしたときを基準として放射電界強度の変化の状況を示している。この図６より明らかなように、区間５５における導電ライン３１と筺体１５との間の距離が大きくなるに従い、放射電界強度は低下することが確認できる。このことは、即ち、フラットケーブル３０を筺体１５から離した方が、放射電界強度を低下させることができることを示している。
以上の検討の結果から、本実施形態によるフラットケーブル３０を筺体１５から安定的に離す構造にすることにより、フラットケーブル３０からのコモンモードノイズの放射電磁界のレベルをヘッド４０の移動に関わらず抑制することができる。
【符号の説明】
【００３４】
１０…プリンター、１２…用紙、１３…製品外装部、１５…筺体、２０…メインボード、２１…グランド電極、３０…フラットケーブル、３１…導電ライン、４０…ヘッド、５０…固定部、５３…当接部、５５…区間、６０…切欠き部、７０…切欠き部、８０…シミュレーション空間、９０…シミュレーションモデル。
【図１】
2013131673.tif 000003
【図２】
2013131673.tif 000004
【図３】
2013131673.tif 000005
【図４】
2013131673.tif 000006
【図５】
2013131673.tif 000007
【図６】
2013131673.tif 000008